(57)【要約】ネクタイ着用具はネクタイ結び目の前面に相応する湾曲状を有する支持板１と，前記支持板の中央に装着された磁石３と，支持板の両端に連結した連結紐５によって前記支持板に連結された棒状の昇降板２と，支持板１の一側に備わって，内部に磁石３´を有する磁石ケース４とを含む。また，着用具は前記支持板１の挿入のための挿入空間８及び下端に形成されるネクタイ引出孔９を備え，ネクタイ結び目の形状を有しており，布で作られる結び目部７を含め。このネクタイ着用具によれば，使用者はより簡単かつ便利な方式で多様な種類のネクタイを着用でき，好みによってネクタイの長さを調節できる。
2005520072.tif 000002
【特許請求の範囲】
【請求項１】
ネクタイ結び目の表面と相応するように湾曲状からなる支持板と；
前記支持板の中央に備わる磁石と；
前記支持板の両端と連結する連結紐によって，前記支持板と連結される棒状の昇降板と；
前記支持板の一側に備わり，内部に磁石を有する磁石ケースと；
前記支持板とネクタイを挿入するための挿入空間及び下端にネクタイを引き出すためのネクタイ引出孔を備え，前記ネクタイの結び目の形状であり，生地からなる結び目部とを含むことを特徴とする，ネクタイ着用具。
【請求項２】
前記磁石ケース（４）の後面には，内部中央に固定ピン（１１）を有する固定カバー（１２）がヒンジ連結されており，磁石ケース（４）と磁石（３'）との中央には挿脱孔が形成され，前記固定ピン（１１）がこの挿脱孔内に挿入されることを特徴とする，請求項１に記載のネクタイ着用具。
【発明の詳細な説明】
【技術分野】
【０００１】
本発明は，容易かつ便利な方式でネクタイを着用可能にするネクタイ着用具にかかり，特にネクタイの結び目と，これに挿入される支持板を別途に構成して，多様な種類のネクタイをより容易かつ便利な方式で着用でき，好みでネクタイの長さを調節できるネクタイ着用具に関する。
【背景技術】
【０００２】
ネクタイは現代人が最も多く使用する衣類用品の中の一つである。ネクタイの着用時には，ネクタイをワイシャツの襟の裏に巻きつけて，前方の首部位に結び目を作って結び目部が首に密着されるようにして着用する。
【０００３】
しかし，このようなネクタイは着用するたびに結び目を付けなければならないので，着用するのに多くの時間と労力が必要である。また，着用中に長さが合わないとネクタイを解いて，再度ネクタイを締めなければならず，余計な処理を必要とする。
【０００４】
最近は，ネクタイの結び目部分にクリップを設けてネクタイの着用時，結び目を改めて作る作業が必要なく，クリップでワイシャツの首部分で結合するネクタイが使われている。
【０００５】
このようなクリップが設けられたネクタイの場合，着用は易しくて便利であるが，ワイシャツへの着用時，結び目部分が曲がったり，ねじれたりして，着用時ワイシャツから離脱する恐れがある。また，ネクタイの長さ調節が不可能で，必ず自分に合う長さのネクタイを購入して使用しなければならない。さらに，一つのネクタイで一つしか結び目の模様と色合いが表現できないので，使用者はその結び目に飽きてしまい，長期間着用しない問題点がある。
【０００６】
このような問題点を解決するために，本発明の出願人が出願した大韓民国実用新案登録第２４６０００号には，結び目形状のネクタイ着用具にローラを設け，後側にはワイシャツ固定用クリップを設けた構造のネクタイ着用具が開示されている。このネクタイ着用具によれば，ネクタイがローラにより摺動し，長さを調節できるようにして，ネクタイを締める努力が最小化できる。さらに，ネクタイ着用具は，結合力を向上させることで結び目部が曲がったり，ねじれたりし，ワイシャツに着用した状態から外れることを防止して，使用者がネクタイの長さを任意に調節でき，一つの着用具に多数のネクタイをかわるがわる着用してネクタイによる多様な演出が可能である。
【発明の開示】
【発明が解決しようとする課題】
【０００７】
しかしながら，上記ネクタイ着用具は，その着用具内にローラを設けなければならないので，その構成が比較的複雑であり，製造コストが多くかかる問題だけでなく，ローラの円滑な作動のためにローラと着用具の後側面を平面状に形成しなければならず，着用時，着用具の両側が身体から離れて美観上にも問題があった。
【課題を解決するための手段】
【０００８】
上記課題を解決するため，本発明の観点によれば，ネクタイを上下に昇降させる昇降板と，固定用磁石を備えた支持板と，支持板が挿入されるネクタイ結び目の形状を有する結び目部（結び目ユニット）の着用具を構成することによって，着用時密着性を向上させて美観を向上させると共に，構成を単純化して製造コストを削減し，簡便にネクタイを着用できるように構成したネクタイ着用具を提供することにその目的がある。本発明の一側面によって，ネクタイ結び目の表面の形状に対応するような湾曲状の支持板と；前記支持板の中央に装着された磁石と；前記支持板の両端に連結した連結紐によって前記支持板に連結された棒状の昇降板と；前記支持板の一側に備わって，内部に磁石を有する磁石ケースと；前記支持板の挿入のための挿入空間及び下端に形成されるネクタイ引出孔を備え，ネクタイ結び目の形状を有しており，布で作られる結び目部と；を含むことを特徴とするネクタイ着用具が提供される。
【０００９】
より好ましくは，前記磁石ケースの後面には，内部中央に固定ピンを有する固定カバーがヒンジ連結されており，磁石ケースと磁石（３'）との中央には挿脱孔が形成されて，前記固定ピンがこの挿脱孔内に挿入される。
【発明の効果】
【００１０】
以上説明したように，本発明によれば，ネクタイを上下に昇降させる昇降板と，固定用磁石を備えた支持板と，この支持板が挿入されるネクタイ結び目の形状を有する結び目部のネクタイ着用具を構成することによって，ネクタイ着用時の密着性を向上させ，ネクタイ着用時の外観を向上させると共に，ネクタイ着用具の構成を単純化して製造コストを節減し，容易にネクタイを着用することができる。
【発明を実施するための最良の形態】
【００１１】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００１２】
図１は，本発明の一実施形態に係るネクタイ着用具の概略的な構成を示す斜視図である。
【００１３】
図１を参照すれば，ネクタイ着用具はネクタイ結び目の前面に対応する湾曲状の支持板１を備える。支持板１の中央部には磁石３が装着される。また，棒状の昇降板２は支持板１の両端で結紐するように連結した連結紐５を介して支持板１に連結している。また，このネクタイ着用具は支持板１の一側に設けられる磁石ケース４を備える。磁石ケース４はその内部に磁石３’を有する。さらに，このネクタイ着用具は布で加工さられた結び目部７を備える。この結び目部７はネクタイ結び目の形状を有して，支持板１が内部に挿入される挿入空間８が形成される。また，結び目部７の下端にはネクタイ引出孔９が形成される。
【００１４】
図６は本発明の他の実施形態に係る固定ピンを備えるネクタイ着用具の概略的な構成を示す斜視図である。
【００１５】
図６に示すように，磁石ケース４の後面には，内側面の中央部に固定ピン１１を有する固定カバー１２がヒンジ連結される。また，磁石３，磁石ケース４と磁石３'の中央部には固定ピン１１の挿入／脱着可能な挿脱孔が形成され，固定ピン１１はこの挿脱孔に着脱自在に挿入できる。
【００１６】
以下，本発明の一実施の形態に係るネクタイ着用具の動作を説明する。
【００１７】
本発明の一実施の形態に係るネクタイ着用具を使用してネクタイを着用する時には，図２に示すように，ネクタイを支持板１の両端に連結した連結紐５に掛けて昇降板２がネクタイの間に位置するようにする。次に，図３及び図４に示すように，ネクタイ６を結び目部７の挿入空間８内に挿入し，下端の引出孔９から引出すと同時に，支持板１が結び目部７の挿入空間８に載置するようにする。
【００１８】
前述のように，ネクタイ６を支持板１により結び目部７に結合した後に，図５に示すように，結び目部７をワイシャツ１０の外面に密着させた状態で，結び目部７の一側に引出された磁石ケース４をワイシャツ１０内側の支持板１上の磁石３の設置部に位置させる。したがって，磁石ケース４の磁石３'と支持板１に備わる磁石３とが互いに磁力により吸着することでネクタイ６とネクタイ着用具をワイシャツ１０に付着させることができる。
【００１９】
前述したように着用したネクタイ６の長さを調節する時には，図３に示すように，ネクタイ６と一緒に結び目部７の引出孔９から引出されているネクタイ６内側の昇降板２をネクタイ６を移動しやすいように着用時よりも上方の位置に移動して掴む。次に，使用者はネクタイ６を引出孔９内に差し込んだり引出したりすることで，使用者が所望する長さにネクタイの長さを調節できる。
【００２０】
図６を参照すれば，磁石ケース４の後面に固定ピン１１が設けられる。着用時には図７に示すように，固定ピン１１がワイシャツ１０を貫通して磁力により固定するので，着用中にネクタイ６がすべり落ちるのを防止できる。
【００２１】
また，本発明の一実施の形態で使われる支持板１はネクタイの結び目表面の形状に対応するような湾曲状にカーブしているので，着用時人体に密着し，着用感が向上すると共に，ネクタイ着用具を使用せずにネクタイを着用した場合と比べても遜色なく美観を向上することができる。
【００２２】
以上のように，本発明の一実施の形態に係るネクタイ着用具はネクタイを上下に昇降させる昇降板と，固定用磁石を備えた支持板と，この支持板が挿入されるネクタイ結び目の形状を有する結び目部のネクタイ着用具を構成することによって，着用時密着性を向上させて美観を向上させると共に，構成を単純化して製造コストを節減し，容易にネクタイを着用することができる。
【００２３】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【図面の簡単な説明】
【００２４】
【図１】図１は本発明の一実施形態に係るネクタイ着用具を示す斜視図である。
【図２】図２は本発明の一実施形態に係るネクタイ着用具の支持板にネクタイを垂らした状態を示す側面図である。
【図３】図３は本発明の一実施形態に係るネクタイ着用具の支持板にネクタイを垂らし，結び目部に差し込んだ状態を示す縦断面図である。
【図４】図４は本発明の一実施形態に係るネクタイ着用具の支持板にネクタイを垂らし，結び目部に差し込んだ状態を示す斜視図である。
【図５】図５は本発明の一実施形態に係るネクタイ着用具をワイシャツに固定させた状態を示す断面図である。
【図６】図６は本発明の他の実施形態に係る固定ピンを備えたネクタイ着用具を示す斜視図である。
【図７】図７は図６に示すネクタイ着用具を概略を示す断面図である。
【図１】
2005520072.tif 000003
【図２】
2005520072.tif 000004
【図３】
2005520072.tif 000005
【図４】
2005520072.tif 000006
【図５】
2005520072.tif 000007
【図６】
2005520072.tif 000008
【図７】
2005520072.tif 000009
【国際調査報告】
2005520072.tif 000010